(57)【要約】【課題】キャリブレーションに多くの手間と設備を要しており、かつ精度が低かった。【解決手段】マイクロコンピュータ１２が、入力ポート１２ａ〜１２ｃを介して入力するコンポーネント信号に対する補正値を設定することにより、テレビジョン１０の映像出力特性の調整（キャリブレーション）を実現する。このとき、検査用映像にかかる映像信号の出力元として、テレビジョン１０が内蔵するＤＶＤドライブ１１を選択し、マイクロコンピュータ１２は、ＤＶＤドライブ１１に出力させた検査用映像にかかるコンポーネント信号に基づいてディスプレイ１３に検査用映像を表示させ、この検査用映像の測色データに基づいて上記補正値を設定する。【選択図】図１
2008294628.tif 000002
【特許請求の範囲】
【請求項１】
テレビジョンの映像出力特性を調整するテレビジョン調整システムにおいて、
外部から挿入された記憶媒体に記録された情報を読み出して映像信号を出力可能な記憶媒体読出部と、映像信号入力ポートを介して映像信号を入力し、この映像信号に基づいた映像表示をディスプレイに実行させる制御部とを内蔵するテレビジョンと、
上記ディスプレイの表示を測色するとともに測色結果を上記制御部に出力する測色部とを備え、
上記制御部は、上記記憶媒体読出部に対して所定の検査用映像を表した検査用映像信号を出力することを指示し、記憶媒体読出部は当該指示に応じて、記憶媒体読出部内の所定の記憶媒体に予め保存されている検査用映像信号を当該所定の記憶媒体から読み出して上記映像信号入力ポートに対して出力し、制御部は、検査用映像信号に基づいた映像表示をディスプレイに実行させるとともに、測色部から出力された検査用映像の測色結果に基づいて上記映像信号入力ポートにて入力する信号に対する補正度合いを決定することを特徴とするテレビジョン調整システム。
【請求項２】
上記記憶媒体読出部から出力されて映像信号入力ポートが入力する映像信号はコンポーネント信号であることを特徴とする請求項１に記載のテレビジョン調整システム。
【請求項３】
映像出力特性を調整するテレビジョンにおいて、
外部から挿入された記憶媒体に記録された情報を読み出して映像信号を出力可能な記憶媒体読出部と、映像信号入力ポートを介して映像信号を入力し、この映像信号に基づいた映像表示をディスプレイに実行させる制御部とを内蔵し、
上記制御部は、上記記憶媒体読出部に対して所定の検査用映像を表した検査用映像信号を出力することを指示し、記憶媒体読出部は当該指示に応じて、記憶媒体読出部内の所定の記憶媒体に予め保存されている検査用映像信号を当該所定の記憶媒体から読み出して上記映像信号入力ポートに対して出力し、制御部は、検査用映像信号に基づいた映像表示をディスプレイに実行させるとともに、外部から入力した上記ディスプレイにおける検査用映像の表示の測色結果に基づいて上記映像信号入力ポートにて入力する信号に対する補正度合いを決定することを特徴とするテレビジョン。
【請求項４】
テレビジョンの映像出力特性を調整するテレビジョン調整システムにおいて、
外部から挿入されたディスク型メディアに記録された情報を読み出してコンポーネント信号を出力可能な記憶媒体読出部としてのＤＶＤドライブと、コンポーネント信号を外部機器から入力可能な外部接続端子と、映像信号入力ポートを介して上記ＤＶＤドライブまたは外部接続端子からコンポーネント信号を入力し、入力したコンポーネント信号に基づいた映像表示をディスプレイに実行させる制御部としてのマイクロコンピュータとを内蔵するテレビジョンと、
上記ディスプレイの表示を測色するとともに測色結果を上記マイクロコンピュータに出力する測色部とを備え、
上記マイクロコンピュータは、上記ＤＶＤドライブに対して所定の検査用映像を表したコンポーネント信号を出力することを指示し、ＤＶＤドライブは当該指示に応じて、ＤＶＤドライブ内の上記メディアとは別の所定の記憶媒体に予め保存されている検査用映像を表した情報であって少なくとも白ベタ映像と黒ベタ映像とをそれぞれ表す情報を当該所定の記憶媒体から読み出してコンポーネント信号として上記映像信号入力ポートに対して出力し、マイクロコンピュータは、検査用映像を表したコンポーネント信号に基づいた映像表示をディスプレイに実行させるとともに、測色部から出力された検査用映像の測色結果に基づいて上記映像信号入力ポートにて入力する信号に対する補正度合いを決定することを特徴とするテレビジョン調整システム。
【発明の詳細な説明】
【技術分野】
【０００１】
本発明は、テレビジョンの映像出力特性を調整するテレビジョン調整システムおよび当該システムを構成する各機器に関する。
【背景技術】
【０００２】
テレビジョンの工場出荷段階においては、製品個々の映像出力特性のばらつきを調整するいわゆるキャリブレーションが行われる。これまでは、工場のラインを流れる各テレビジョンの外部入力端子に対して、キャリブレーションを実行するためのコンピュータをケーブルで逐一接続し、ケーブルを介して所定の検査用映像を表す映像信号をテレビジョンに出力して検査用映像をテレビジョンに表示させ、表示した検査用映像の測色結果に応じて、テレビジョンの映像出力特性を補正（調整）していた。
【０００３】
また、キャリブレーション信号発生部１５０と、色変換部１２０と、階調補正部１７０と、行列生成部１３０と、１Ｄ‐ＬＵＴ生成部１４０とを備えたプロジェクタ２０が知られている（特許文献１参照。）。プロジェクタ２０においては、キャリブレーション信号発生部１５０が発生させたキャリブレーション信号ＲＧＢに基づくキャリブレーション画像を投写表示し、当該表示の測色結果に基づく測色データを用いて、行列生成部１３０が、ＲＧＢ信号（Ｒ２，Ｇ２，Ｂ２）を環境に応じた色を再現可能なＲＧＢ信号（Ｒ３，Ｇ３，Ｂ３）に変換する色変換用行列を生成するとともに、１Ｄ‐ＬＵＴ生成部１４０が、階調補正用の１Ｄ‐ＬＵＴを生成する。
【０００４】
また、ＣＤ‐Ｒなどの記録媒体から画像データを読み出して、これに基づく表示をテレビに実行させる際に、当該画像データに基づいてホワイトバランス補正用のＬＵＴを生成し、この生成したＬＵＴによって画像データを補正し、この補正後の画像データをテレビに出力するＤＶＤプレーヤが知られている（特許文献２参照。）。
また、モニター２と、モニター２上の輝度を測定する測定装置１と、モニター２と接続されモニター２上に任意の階調を表示し、かつモニター２のブライトを調整するモニターキャリブレーション処理を実行するコンピュータ３と、からなるモニターキャリブレーション装置が知られている（特許文献３。）。
【特許文献１】特開２００３‐５０５７２号公報
【特許文献２】特開２００４‐１２０４００号公報
【特許文献３】特開２００２‐９９２６５号公報
【発明の開示】
【発明が解決しようとする課題】
【０００５】
上述したように（例えば、特許文献３においても）、キャリブレーションの実行に際してテレビジョン一台一台にケーブルでコンピュータを接続することは、非常に煩雑である。このことは、多数のテレビジョンを製造・出荷する工程において大きな負担となり、その結果、製品の製造効率を大きく低下させる。
【０００６】
また特許文献１においては、普段のプロジェクタ使用時に映像信号の入力に用いられる信号入力系統（Ａ／Ｄ変換部１１０を介した色変換部１２０への信号入力系統）とは異なる、キャリブレーション信号の送信のためだけの信号入力系統（キャリブレーション信号発生部１５０から色変換部１２０への信号入力系統）を用いて、キャリブレーション時の映像表示が行われている。そのため、キャリブレーションの結果には、キャリブレーション信号の送信のためだけの信号入力系統の持つ特性が反映されてしまい、普段の製品（プロジェクタ）使用時における映像の見え方を最適なものとするキャリブレーションが行われているとは言い難かった。
なお特許文献２は、テレビに受け渡す前の映像信号に対して補正を行う技術であるため、個々のテレビが独自に持つ映像出力特性のばらつきを調整することはできなかった。
【０００７】
本発明は上記課題に鑑みてなされたもので、テレビジョンの映像出力特性に対する調整を従来と比較して、少ない工数にてかつ正確に行うことが可能なテレビジョン調整システムおよびテレビジョンを提供することを目的とする。
【課題を解決するための手段】
【０００８】
上記目的を達成するために本発明のテレビジョン調整システムは、テレビジョンの映像出力特性を調整する。当該システムは、テレビジョンと測色部とからなる。テレビジョンは、少なくとも、外部から挿入された記憶媒体に記録された情報を読み出して映像信号を出力可能な記憶媒体読出部と、映像信号入力ポートを介して映像信号を入力し、この映像信号に基づいた映像表示をディスプレイに実行させる制御部とを内蔵する。測色部は、上記ディスプレイの表示を測色するとともに測色結果を上記制御部に出力する。上記制御部は、上記記憶媒体読出部に対して所定の検査用映像を表した検査用映像信号を出力することを指示し、記憶媒体読出部は当該指示に応じて、記憶媒体読出部内の所定の記憶媒体に予め保存されている検査用映像信号を当該所定の記憶媒体から読み出して上記映像信号入力ポートに対して出力し、制御部は、検査用映像信号に基づいた映像表示をディスプレイに実行させるとともに、測色部から出力された検査用映像の測色結果に基づいて上記映像信号入力ポートにて入力する信号に対する補正度合いを決定する。
【０００９】
すなわち本発明によれば、テレビジョンが内蔵する記憶媒体読出部を検査用映像にかかる映像信号の発生元にして、制御部の映像信号入力ポートの調整（キャリブレーションの一種）を実行することができる。よって、従来のようにテレビジョンのキャリブレーションに際してテレビジョンに対し外部からケーブルを接続し、当該ケーブルを介して検査用映像にかかる映像信号を供給する必要が無くなり、キャリブレーションに要する手間が大きく省かれる。
また、記憶媒体読出部は、外部から挿入された記憶媒体に記録された情報を読み出して映像信号を制御部に出力可能な装置であり、普段テレビジョンがディスプレイに映像表示を行う際に用いられる映像信号の入力系統の一つである。そのため、記憶媒体読出部を検査用映像にかかる映像信号の発生元にして、映像信号入力ポートの調整を実行することにより、普段のユーザの製品（テレビジョン）使用時における映像の見え方を最適なものとすることができる。つまり本発明によれば、非常に精度の良いキャリブレーションを行うことができる。
【００１０】
記憶媒体読出部から出力されて映像信号入力ポートが入力する映像信号はコンポーネント信号であるとしてもよい。
また本発明の技術的思想をより具体化する構成として、テレビジョンの映像出力特性を調整するテレビジョン調整システムにおいて、外部から挿入されたディスク型メディアに記録された情報を読み出してコンポーネント信号を出力可能な記憶媒体読出部としてのＤＶＤドライブと、コンポーネント信号を外部機器から入力可能な外部接続端子と、映像信号入力ポートを介して上記ＤＶＤドライブまたは外部接続端子からコンポーネント信号を入力し、入力したコンポーネント信号に基づいた映像表示をディスプレイに実行させる制御部としてのマイクロコンピュータとを内蔵するテレビジョンと、上記ディスプレイの表示を測色するとともに測色結果を上記マイクロコンピュータに出力する測色部とを備え、上記マイクロコンピュータは、上記ＤＶＤドライブに対して所定の検査用映像を表したコンポーネント信号を出力することを指示し、ＤＶＤドライブは当該指示に応じて、ＤＶＤドライブ内の上記メディアとは別の所定の記憶媒体に予め保存されている検査用映像を表した情報であって少なくとも白ベタ映像と黒ベタ映像とをそれぞれ表す情報を当該所定の記憶媒体から読み出してコンポーネント信号として上記映像信号入力ポートに対して出力し、マイクロコンピュータは、検査用映像を表したコンポーネント信号に基づいた映像表示をディスプレイに実行させるとともに、測色部から出力された検査用映像の測色結果に基づいて上記映像信号入力ポートにて入力する信号に対する補正度合いを決定する構成を把握することができる。
【００１１】
このようなより具体的構成においても、上述した各効果を発揮することは言うまでも無い。
上記システムは、それ全体で一つの発明として成立するし、システムを構成する装置毎にも発明は成立する。その一例として、映像出力特性を調整するテレビジョンにおいて、外部から挿入された記憶媒体に記録された情報を読み出して映像信号を出力可能な記憶媒体読出部と、映像信号入力ポートを介して映像信号を入力し、この映像信号に基づいた映像表示をディスプレイに実行させる制御部とを内蔵し、上記制御部は、上記記憶媒体読出部に対して所定の検査用映像を表した検査用映像信号を出力することを指示し、記憶媒体読出部は当該指示に応じて、記憶媒体読出部内の所定の記憶媒体に予め保存されている検査用映像信号を当該所定の記憶媒体から読み出して上記映像信号入力ポートに対して出力し、制御部は、検査用映像信号に基づいた映像表示をディスプレイに実行させるとともに、外部から入力した上記ディスプレイにおける検査用映像の表示の測色結果に基づいて上記映像信号入力ポートにて入力する信号に対する補正度合いを決定する構成を把握することができる。
【発明を実施するための最良の形態】
【００１２】
以下の順序に従って、本発明の一実施形態を説明する。
（１）テレビジョン調整システムの概略構成
（２）キャリブレーション処理
（３）まとめ
【００１３】
（１）テレビジョン調整システムの概略構成
図１は、本実施形態にかかるテレビジョン調整システムの概略構成をブロック図により示している。テレビジョン調整システム１００は、製造される各テレビジョンがそれぞれに持つ映像出力特性のずれ（理想とのずれ）を補正するためのシステムであり、基本的に、キャリブレーションの対象となるテレビジョン１０と、テレビジョン１０の画像表示を測定（測色）する測色機３０とからなる。
【００１４】
テレビジョン１０は、装置全体の制御主体（制御部）となるマイクロコンピュータ１２と、画像表示装置としてのディスプレイ１３と、記憶媒体読出部としてのＤＶＤドライブ１１とを内蔵している。つまり本実施形態にかかるテレビジョン１０は、ＤＶＤドライブ内蔵型のテレビである。同図に示すように、マイクロコンピュータ１２の映像信号入力ポート（以下、単に入力ポート）１２ａ〜１２ｃに対する映像信号の入力系統は少なくとも２系統存在する。一つは、外部入力端子１４ａ〜１４ｃを介しての入力系統である。外部入力端子１４ａ〜１４ｃは、輝度信号（Ｙ）と色差信号（Ｃｂ，Ｃｒ）とからなるコンポーネント信号を外部から入力可能な端子である。外部入力端子１４ａ〜１４ｃに、ビデオカメラ等の所定の映像入力機器（不図示）が接続されることにより、テレビジョン１０（マイクロコンピュータ１２）は外部から映像信号を入力することができる。
【００１５】
もう一つの入力系統は、上述のＤＶＤドライブ１１である。ＤＶＤドライブ１１は、外部から挿入されたディスク型メディア（ＤＶＤ‐ＲＯＭ、ＣＤ‐ＲＯＭ、ＣＤ‐Ｒ、ＣＤ‐ＲＷ等の各種ディスク型メディア）２０等に記録された映像情報を読み出して映像信号をマイクロコンピュータ１２に対して出力可能である。ＤＶＤ１１も、出力ポート１１ａ〜１１ｃを介してコンポーネント信号ＹＣｂＣｒのフォーマットで映像信号を出力する。マイクロコンピュータ１２は、上記２つの入力系統の一方から選択的にコンポーネント信号を入力ポート１２ａ〜１２ｃを介して入力し、入力したコンポーネント信号に基づいてディスプレイ１３に映像表示を行わせることが可能である。
【００１６】
マイクロコンピュータ１２は、入力したコンポーネント信号をＲＧＢ信号に変換し、各画素毎のＲＧＢ値を規定した画像データを生成し、この画像データをディスプレイ１３に対して出力する。ディスプレイ１３としては、例えばアクティブマトリクス方式の液晶ディスプレイを採用することができる。この場合、ディスプレイ１３においては各画素を駆動させる液晶駆動回路が上記画像データの供給を受け、画像データに基づいて各画素を駆動させて映像表示を実現する。むろんディスプレイ１３としては、液晶ディスプレイ以外にも、ＣＲＴやＰＤＰ（プラズマディスプレイパネル）等、各種の画像表示装置を採用可能である。なお同図では省略しているが、テレビジョン１０は、放送信号を受信するためのアンテナおよびチューナ回路や、受信した放送信号を復調するための復調回路や、装置の各回路に電源を供給する電源回路や、音声回路や、スピーカ等、一般的なテレビジョンが備える公知の各種回路や部材も有している。
【００１７】
測色機３０（測色部）は、ディスプレイ１３の画面に対して相対する位置に設置され、ディスプレイ１３の表示を測色する。測色機３０は、例えばオペレータによって操作されることにより測色動作を行い、測色結果を所定のフォーマット（本実施形態では、ＹＣｂＣｒ）の測色データとしてマイクロコンピュータ１２に出力可能である。むろん、測色機３０の動作や位置の移動について、外部のコンピュータによって制御するとしてもよい。マイクロコンピュータ１２は、測色機３０から出力された測色データに基づいて、キャリブレーションを行う。
以下では、キャリブレーションに関する一連の処理について説明する。
【００１８】
（２）キャリブレーション処理
図２は、キャリブレーション処理の内容をフローチャートにより示している。当該処理は、主にマイクロコンピュータ１２が所定のプログラムに従って実行する。
ステップＳ２００（以下、ステップの記載を省略）では、マイクロコンピュータ１２は、キャリブレーション処理の実行指示を受付けたか否かの判断を行い、受付けたと判断するまでは待機し、受付けたと判断した場合にＳ２１０以降のステップに進む。つまり、オペレータが外部のリモートコントロール装置等を操作して上記実行指示を意味する赤外線信号をテレビジョン１０に対して送信し、マイクロコンピュータ１２が、所定の赤外線受光部（不図示）を介して上記赤外線信号を受信したときに、上記実行指示を受付けたと判断する。
【００１９】
Ｓ２１０では、マイクロコンピュータ１２は、所定の検査用映像を出力することを要求する要求信号を、ＤＶＤドライブ１１に対して出力する。
要求信号を受信したＤＶＤドライブ１１においては、ＤＶＤドライブ１１の内部のＣＰＵがＤＶＤドライブ１１に内蔵されている所定の記憶媒体（例えば、ＲＯＭ）１１ｄから、当該記憶媒体１１ｄに予め保存されている検査用映像を表す映像データを読み出し、当該読み出した映像データをコンポーネント信号のフォーマットにして、出力ポート１１ａ〜１１ｃから出力する。つまり、ＤＶＤドライブ１１は、検査用映像を外部から挿入されるディスク型メディア２０から読み出すのではなく、当該検査用映像を内蔵の記憶媒体１１ｄに予め保存しておき、上記要求信号に応じて出力するようにしている。
【００２０】
マイクロコンピュータ１２は、上記Ｓ２１０の要求信号の出力と同時に、Ｓ２２０において、上記２つの入力系統の切替を行う切替回路１５ａ〜１５ｃをそれぞれ制御し、外部入力端子１４ａ〜１４ｃからの入力ではなく、ＤＶＤドライブ１１の出力ポート１１ａ〜１１ｃから信号を入力可能な状態に入力系統を切替させる。
Ｓ２３０では、マイクロコンピュータ１２は、入力ポート１２ａ〜１２ｃを介して入力した検査用映像にかかるコンポーネント信号に基づいて、ディスプレイ１３に検査用映像を表示させる。
【００２１】
Ｓ２４０では、マイクロコンピュータ１２は、所定の外部信号入力ポートを介して測色機３０から測色データを入力したか否かの判断を行い、入力したと判断するまでは待機し、入力したと判断した場合にＳ２５０に進む。つまり、マイクロコンピュータ１２は、ディスプレイ１３に表示した検査用映像の測色結果（測色データ）を測色機３０から受け取る。
【００２２】
Ｓ２５０では、マイクロコンピュータ１２は、入力した測色データに基づいて、入力ポート１２ａ，１２ｂ，１２ｃにてそれぞれ入力する各成分（Ｙ，Ｃｂ，Ｃｒ）に対する補正度合い（補正値）を決定し、この決定した補正値を所定の記憶領域に保存する。一例として、マイクロコンピュータ１２は、測色データ（ＹＣｂＣｒデータ）に対する理想値（ＹＣｂＣｒデータ）を予め所定の記憶領域に有しているものとし、測色データと理想値とを対比し、両者の成分毎の差分に応じて、各成分（Ｙ，Ｃｂ，Ｃｒ）について当該差分を打ち消すような補正値を決定する。
【００２３】
より具体的には、ＤＶＤドライブ１１は、検査用映像を表す映像データとして、画面一面の白ベタ映像を表す映像データを保存しており、マイクロコンピュータ１２は、かかる映像データに基づいてディスプレイ１３に表示した白ベタ映像の測色データと、理想的な白色を示す理想値とを対比する。そして、この対比結果に応じて、各成分に対する補正値を決定する。
【００２４】
マイクロコンピュータ１２は、補正値の決定以降は、入力ポート１２ａ〜１２ｃを介して入力するコンポーネント信号の各成分（Ｙ，Ｃｂ，Ｃｒ）に対して補正値に応じた補正を実行する。その結果、ディスプレイ１３においては、常に理想的な白色が表示されることになる。ＤＶＤドライブ１１が予め備える検査用映像の映像データとしては白ベタ映像にかかるもの以外にも、画面一面の黒ベタ映像を示すデータが考えられる。この場合、当該データに基づいてディスプレイ１３に表示させた黒ベタ映像の測色結果と、理想的な黒色を示す理想値との対比に基づく補正値を生成し、以後のディスプレイ１３による黒表示を理想的なものとすることができる。むろんＤＶＤドライブ１１は、白ベタ映像や黒ベタ映像以外にも、各種の検査用映像にかかるデータを予め備えておくことが可能である。
【００２５】
（３）まとめ
このように本実施形態では、マイクロコンピュータ１２が、入力ポート１２ａ〜１２ｃを介して入力するコンポーネント信号に対する補正値を設定することにより、テレビジョン１０の映像出力特性の調整（キャリブレーション）を実現する。このとき、検査用映像にかかる映像信号の出力元として、テレビジョン１０が内蔵するＤＶＤドライブ１１を選択し、マイクロコンピュータ１２は、ＤＶＤドライブ１１に出力させた検査用映像にかかるコンポーネント信号に基づいてディスプレイ１３に検査用映像を表示させ、この検査用映像の測色データに基づいて上記補正値を設定する。つまり本実施形態の構成によれば、テレビジョン１０のキャリブレーションに際し、テレビジョン１０一台一台毎に対して、検査用映像の映像信号を供給するための外部機器をケーブルを介して接続する必要がない。その結果、従来と比較して少ない手間および設備にて、テレビジョン１０のキャリブレーションを行うことが可能となる。また本実施形態は、多数のテレビジョン１０に対して工場内で一台一台キャリブレーションを行う場合に特に大きな効果を発揮し、テレビジョン１０の製造・出荷効率を向上させる。
【００２６】
また、テレビジョン１０が内蔵するＤＶＤドライブ１１は、ユーザがテレビジョン１０による映像視聴を行う際に日常的に使用される信号入力系統の一つであり、本実施形態ではかかる信号入力系統を介して検査用映像の表示を実現している。そのため、検査用映像の測色データに基づいて得られる補正値は、当該テレビジョン１０でユーザが映像視聴するときに理想的な色での表示を行うために映像信号に対して施すべき最適な補正の程度を示していると言える。すなわち本実施形態によれば、理想的な色での映像表示を行うための補正値を精度良く設定することができる。
【図面の簡単な説明】
【００２７】
【図１】テレビジョン調整システムの概略構成の一例を示したブロック図。
【図２】キャリブレーション処理の一例を示したフローチャート。
【符号の説明】
【００２８】
１０…テレビジョン
１１…ＤＶＤドライブ
１１ａ，１１ｂ，１１ｃ…出力ポート
１１ｄ…記憶媒体
１２…マイクロコンピュータ
１２ａ，１２ｂ，１２ｃ…映像信号入力ポート
１３…ディスプレイ
１４ａ，１４ｂ，１４ｃ…外部入力端子
１５ａ，１５ｂ，１５ｃ…切替回路
２０…ディスク型メディア
３０…測色機
１００…テレビジョン調整システム
【図１】
2008294628.tif 000003
【図２】
2008294628.tif 000004